(57)【特許請求の範囲】
【請求項１】
ベース体に立設した支持体に、モニター台を昇降可能に設けるとともに、前記支持体の下部又はベース体から斜め上方へ延びた傾動可能な支持アームの先端部にキーボード台をリンク連結し、前記支持アームの傾動に伴う前記キーボード台の移動動作と前記モニター台の昇降動作を同調させて調節可能としたことを特徴とするワークステーション。
【請求項２】
前記キーボード台を平行移動可能に前記支持アームで支持体にリンク連結してなる請求項１記載のワークステーション。
【請求項３】
前記ベース体に対して支持体を高さ調節可能に設けるとともに、該支持体の下部から斜め上方へ延びた傾動可能な支持アームの先端部にキーボード台をリンク連結してなる請求項１又は２記載のワークステーション。
【請求項４】
前記キーボード台に同調して昇降する支持体の昇降部に対して前記モニター台を高さ調節可能且つ前後移動可能に設けてなる請求項１又は２又は３記載のワークステーション。
【請求項５】
前記支持アームの先端保持部に対してキーボード台を高さ調節可能に設けてなる請求項１〜４何れかに記載のワークステーション。
【発明の詳細な説明】
【０００１】
【発明の属する技術分野】
本発明は、パソコン等のモニターとキーボードとを備えた情報機器を載置するためのワークステーションに係わり、更に詳しくは使用者の姿勢に応じてモニターとキーボードの位置を変更可能となしたワークステーションに関する。
【０００２】
【従来の技術】
従来、パソコン等のモニターとキーボードとを備えた情報機器を載置するデスクやラックは各種提供されている。例えば、パソコンラックは、多段に棚板を固定し、その棚板をモニター台とキーボード台として使用するものであるが、モニター台とキーボード台は固定的であり、使用者の姿勢や体格に合わせてモニター台とキーボード台の高さや位置を変更できるものではない。
【０００３】
また、パソコン対応デスクでは、モニター台とキーボード台の高さを調節可能となしたものも提供されている。例えば、特公平７−１１４７３１号公報には、共通の脚部の前後にガススプリングを内蔵した支柱を立設し、それぞれの後柱にモニター台を取付け、前柱にキーボード台を取付け、それぞれ独立して高さ調節可能となした載置台が記載されている。
【０００４】
しかし、前述の公報記載の載置台は、確かにモニター台とキーボード台の高さを使用者の体格に応じて調節することができるが、使用者が椅子に着座した状態の姿勢に応じてモニター台とキーボード台を調節することはできない。そのため、このような情報機器を使用する場合には、使用者の姿勢が変化するとモニターやキーボードとの間隔や位置関係がずれるので、使用者は予め設定された姿勢を維持しなければならないが、長時間の同一姿勢の維持は苦痛となる。また、使用者が姿勢を変更する度に、モニター台やキーボード台の高さや、椅子との相対位置を変更するのは手間のかかる作業を要するのである。
【０００５】
【発明が解決しようとする課題】
そこで、本発明が前述の状況に鑑み、解決しようとするところは、パソコン等のモニターとキーボードとを備えた情報機器を載置するためのワークステーションにおいて、使用者の姿勢に応じてモニター台とキーボード台の位置を連動して簡単且つ短時間に変更可能となしたワークステーションを提供する点にある。
【０００６】
【課題を解決するための手段】
本発明は、前述の課題解決のために、ベース体に立設した支持体に、モニター台を昇降可能に設けるとともに、前記支持体の下部又はベース体から斜め上方へ延びた傾動可能な支持アームの先端部にキーボード台をリンク連結し、前記支持アームの傾動に伴う前記キーボード台の移動動作と前記モニター台の昇降動作を同調させて調節可能としてなるワークステーションを構成した。
【０００７】
ここで、前記キーボード台を平行移動可能に前記支持アームで支持体にリンク連結してなること、前記ベース体に対して支持体を高さ調節可能に設けるとともに、該支持体の下部から斜め上方へ延びた傾動可能な支持アームの先端部にキーボード台をリンク連結してなること、前記キーボード台に同調して昇降する支持体の昇降部に対して前記モニター台を高さ調節可能且つ前後移動可能に設けてなること、あるいは前記支持アームの先端保持部に対してキーボード台を高さ調節可能に設けてなることが好ましい構成である。
【０００８】
【発明の実施の形態】
次に本発明の実施形態を添付図面に基づき更に詳細に説明する。図１及び図２は、本発明のワークステーションの基本構造を示し、図３〜図７は各種の動作例を示し、図中符号Ａはワークステーション、Ｂは椅子、Ｃは使用者、１はベース体、２は支持体、３はモニター台、４は支持アーム、５はキーボード台をそれぞれ示している。また、図中符号Ｐ１はＣＲＴや液晶等のフラットパネルからなるモニター、Ｐ２はキーボード、Ｐ３はマウスをそれぞれ示している。
【０００９】
本発明のワークステーションＡは、図２〜図３に示すように、床面に設置するベース体１に立設した支持体２に、モニター台３を昇降可能に設けるとともに、前記支持体２の下部から斜め上方へ延びた傾動可能な支持アーム４の先端部にキーボード台５をリンク連結し、前記支持アーム４の傾動に伴う前記キーボード台５の移動動作と前記モニター台３の昇降動作を同調させて調節可能としたものである。
【００１０】
更に詳しくは、前記ベース体１は両側に平行に延びた脚体であり、該ベース体１の中央から後部寄りに前記支持体２を立設している。前記支持体２には上方へ昇降可能に昇降部６を設け、該昇降部６の上端に前記モニター台３を取付けている。そして、前記支持体２の下部から斜め上方へ、つまり使用者の上半身へ向かって支持アーム４を配設し、該支持アーム４の基端部は前記支持体２に枢着し、該支持アーム４の先端部は前記キーボード台５を取付ける保持部７に枢着し、当該支持アーム４が傾動しても該保持部７は平行移動するようになっている。尚、図１に示した実施形態では、ベース体１に対して支持体２は固定しているため、前記支持アーム４の基端部はベース体１に枢着しても良い。
【００１１】
そして、前記キーボード台５の移動動作と前記モニター台３の昇降動作を同調させる機構の一例として図１に示したものは、パイプ状の支持体２に対して上下スライド可能に柱状の昇降部６を内嵌するとともに、該昇降部６の下端部に側設したガイドピン８を前記支持体２の側面に開口した縦長孔９内に位置させ、前記ガイドピン８と前記支持アーム４の中間部間を連結杆１０でリンク連結した構造であり、前記キーボード台５を前記支持アーム４の支持体２への枢着部１１を中心とした回転軌跡に沿って前後へ移動させると、それに連動して支持体２の昇降部６が昇降するのである。ここで、キーボード台５の移動量とモニター台３の昇降量とは、前記連結杆１０でリンク連結する位置によって最適な関係に設定することが可能である。
【００１２】
また、前記昇降部６に対してモニター台３は、高さ調節可能且つ前後移動可能に設け、更にモニターＰ１の仰角を調節できるように角度調節可能及び回転調節可能となしても良い。そして、前記キーボード台５は、前記支持アーム４で支持されて平行移動する保持部７に対して、キーボードＰ２の仰角を調節できるように角度調節可能となしても良い。
【００１３】
更に、前記キーボード台５の近傍に、書類を載置したり、筆記したりするための書類台１２を前記支持体２から延びた固定アーム１３にて保持するとともに、前記キーボード台５の側方に前記保持部７で支持したマウス台１４を設けることも好ましい。尚、前記書類台１２は、独自に水平面内で前後左右及び回転調節することが可能となっている。
【００１４】
次に、本発明のワークステーションＡの使用例を図３〜図７に基づいて簡単に説明する。尚、図３に示したワークステーションＡは、前記支持アーム４を２本用いて、前記支持体２とキーボード台５を保持する保持部７とを平行リンクによって連結した構造であり、前記昇降部６とキーボード台５、つまり支持アーム４との連動機構としては、前記支持体２の内部において支持アーム４の枢着部１１を構成する軸部に設けたピニオンと昇降部６に設けたラックとの噛合による機構やその他の機構を採用し得るのである。また、前記ベース体１に対して支持体２を第１調節機構１５にて高さ調節可能に設け、更に昇降部６の上端に対してモニター台３を第２調節機構１６にて高さ調節可能に設けている。更に、前記保持部７にはキーボード台５を高さ調節するための第３調節機構１７を備えている。
【００１５】
先ず、図３に示すように、本発明のワークステーションＡの前方に置いた椅子Ｂに使用者Ｃが着座し、ワークステーションＡの基本使用態様において使用者Ｃの体格に応じて前記第１調節機構１５及び第２調節機構１６を調節してモニター台３の高さを最適に設定するとともに、第３調節機構１７を調節してキーボード台５の高さを最適に設定する。通常は、図３に示した基本使用態様において椅子Ｂに普通に着座した姿勢でキーボードＰ２やマウスＰ３の操作して文字入力やＣＡＤ作業を行うのである。
【００１６】
それから、長時間同じ姿勢を維持するのに疲れた場合には、図４に示すように椅子Ｂの背凭れに深く凭れ掛かったリクライニング姿勢を取り、図示しないストッパー機構を操作してロック状態を解除した後、前記キーボード台５を最適な位置まで引き寄せると、支持アーム４の傾動に伴って前記モニター台３が最適な高さまで降下するのである。更に、前記モニター台３は前方へ移動させ、モニターＰ１と目の距離を最適に調節する。このモニター台３の前後移動は、当該モニター台３の昇降動作に連動させることも好ましい。
【００１７】
また、図５に示すように、使用者Ｃがやや後傾してリクライニング姿勢に移り、脚を組んだ楽な姿勢を取った場合、ワークステーションＡは、図３の基本使用態様からキーボード台５を手前に引き寄せ、モニター台３を降下させ且つ前方へ移動させた態様に変更するが、使用者Ｃの脚がキーボード台５に接触しないように、第３調節機構１７を調節して保持部７に対してキーボード台５を若干上へ退避させた態様とすることも可能である。
【００１８】
図６は、使用者Ｃの体格が小さい場合で、更にモニターＰ１も小型の場合のワークステーションＡの基本使用態様を示している。尚、この態様では、前記第１調節機構１５及び第２調節機構１６は最も高さを低くした状態を示し、図中には現れてない。また、図７は、モニターＰ１が大型の場合を示している。このようなモニター台３に載置するモニターＰ１の大きさに応じて最適な高さに設定できることは勿論であるが、前記支持体２に対する昇降部６の昇降動作を内蔵したバネで補助するようにするとともに、該バネのテンションをモニターＰ１の重量に応じて調節できるようにすれば、キーボード台５の移動動作に伴うモニター台３を昇降動作を軽くすることが可能であり、つまりモニター台３に載置するモニターＰ１の重量によらず略一定のキーボード台５の移動動作でモニター台３を昇降動作させることが可能となる。
【００１９】
図８及び図９に示したワークステーションＡは、前述の図１に示したものをより具体化したものである。つまり、前記キーボード台５を支持する保持部７は支持体２の下部に対して２本の支持アーム４，４で平行リンクを構成して平行移動可能となし、パイプ状の支持体２の内部に柱状の昇降部６の下部が挿入され、該昇降部６に設けたローラ１８，１８で上下スライド可能となし、一本の支持アーム４と前記昇降部６に側設したガイドピン８とを連結杆１０でリンク連結した構造としている。
【００２０】
そして、キーボード台５やモニター台３の設定位置を固定するためのストッパー機構として例示したものは、前記キーボード台５の保持部７において、前記支持アーム４の上端の枢着部１９を中心として該支持アーム４の端部に円弧状の歯車部２０を形成するとともに、前記保持部７に前後移動可能に設けたレバー２１の爪部２２を圧縮コイルばね２３からなる弾性付勢手段によって前記歯車部２０に噛合させるラチェット機構である。この場合、前記レバー２１を弾性付勢手段に抗して手前に引いて、前記爪部２２を歯車部２０から離して、支持アーム４を上部の枢着部１９及び下部の枢着部１１で自由に回動できる状態にし、キーボード台５を希望位置に移動させて、モニター台３を昇降させた後、前記レバー２１から手を離して再び爪部２２を歯車部２０に噛合させ、その状態を固定するのである。尚、図示したストッパー機構の他にも、キーボード台５の保持部７と支持体２との間に、自転車のブレーキ機構に使用されているようなブレーキワイヤーを設け、支持体２の内部で昇降部６の昇降動作をロックする機構を採用することも可能である。
【００２１】
【発明の効果】
以上にしてなる請求項１に係る発明のワークステーションによれば、ベース体に立設した支持体に、モニター台を昇降可能に設けるとともに、前記支持体の下部又はベース体から斜め上方へ延びた傾動可能な支持アームの先端部にキーボード台をリンク連結し、前記支持アームの傾動に伴う前記キーボード台の移動動作と前記モニター台の昇降動作を同調させて調節可能としたので、使用者の姿勢、例えば椅子に直立して着座した姿勢と背凭れに深く凭れ掛かったリクライニング姿勢とに応じてモニター台とキーボード台を同時に連動して簡単且つ短時間に最適な位置に変更することができる。
【００２２】
請求項２によれば、前記キーボード台を平行移動可能に前記支持アームで支持体にリンク連結してなるので、キーボード台をどのように移動させても常にキーボードを使用できる状態にすることができる。
【００２３】
請求項３によれば、前記ベース体に対して支持体を高さ調節可能に設けるとともに、該支持体の下部から斜め上方へ延びた傾動可能な支持アームの先端部にキーボード台をリンク連結してなるので、使用者の体格やモニターの大きさに応じてモニター台の初期の高さを設定することが可能であり、その後に使用者の姿勢に応じてキーボード台やモニター台を連動して調節しても常に最適な位置関係が保たれるのである。
【００２４】
請求項４によれば、前記キーボード台に同調して昇降する支持体の昇降部に対して前記モニター台を高さ調節可能且つ前後移動可能に設けてなるので、使用者の体格やモニターの大きさに応じてモニター台の初期の高さを設定することが可能であり、その後に使用者の姿勢に応じてキーボード台やモニター台を連動して調節しても常に最適な位置関係が保たれるのである。
【００２５】
請求項５によれば、前記支持アームの先端保持部に対してキーボード台を高さ調節可能に設けてなるので、使用者の脚が長い場合や、また脚を組んだ場合に、使用者の脚がキーボード台に当たらないようにキーボード台を退避させることができ、また初期の基本使用態様においてキーボード台を好みの高さに調節することもできる。
【図面の簡単な説明】
【図１】本発明のワークステーションの基本構造を示す簡略側面図である。
【図２】同じくモニター台に載置したモニターとキーボード台に載置したキーボードの位置関係及び書類台とマウス台との関係を示す簡略平面図である。
【図３】本発明のワークステーションの基本使用態様を示す簡略側面図である。
【図４】使用者がリクライニング姿勢で使用するワークステーションの態様を示す簡略側面図である。
【図５】使用者が脚を組んだリクライニング姿勢で使用するワークステーションの態様を示す簡略側面図である。
【図６】体格に小さい使用者が使用する場合のワークステーションの基本使用態様を示す簡略側面図である。
【図７】モニターが大型の場合のワークステーションの基本使用態様を示す簡略側面図である。
【図８】本発明のストッパー機構を備えたワークステーションの構造を一部破断して示した簡略側面図である。
【図９】同じくストッパー機構を示す部分断面図である。
【符号の説明】
Ａ  ワークステーション    Ｂ  椅子
Ｃ  使用者
Ｐ１  モニター            Ｐ２  キーボード
Ｐ３  マウス
１  ベース体              ２  支持体
３  モニター台            ４  支持アーム
５  キーボード台          ６  昇降部
７  保持部                ８  ガイドピン
９  縦長孔                １０  連結杆
１１  枢着部              １２  書類台
１３  固定アーム          １４  マウス台
１５  第１調節機構        １６  第２調節機構
１７  第３調節機構        １８  ローラ
１９  枢着部              ２０  歯車部
２１  レバー              ２２  爪部
２３  圧縮コイルばね
【図１】
0003642391.tif 000002
【図２】
0003642391.tif 000003
【図３】
0003642391.tif 000004
【図４】
0003642391.tif 000005
【図５】
0003642391.tif 000006
【図６】
0003642391.tif 000007
【図７】
0003642391.tif 000008
【図８】
0003642391.tif 000009
【図９】
0003642391.tif 000010